(57)【要約】【課題】  利用者の番組選択に関する手間を省くことを目的とする。また、番組提供者にとって効率良く視聴者に視聴してもらうようにできるシステムを提供する。【解決手段】  番組再生スケジュール作成システムＡは、ホームサーバ１と、番組データ入力部１１と、再生スケジュール出力部１５と、を有している。ホームサーバ１は、再生スケジュール作成装置３と、再生時間入力部５と、番組期限入力部７とを有している。番組データ入力部１は、例えば電子番組表（ＥＰＧ）からのデータが入力される。再生時間入力部５は、コンテンツの再生時間をユーザが入力するものである。番組期限入力部７は、ＥＰＧデータに基づいて番組の有効期限を入力するものである。番組の有効期限とは、例えばシリーズ物のドラマであればドラマの１回目からドラマの２回目までの期間が１回目のドラマの有効期限となる。再生時間と番組有効期限とが再生スケジュール作成装置３に入力され、再生スケジュールが出力部１５から出力される。この際、番組にＩＤとスケジュールとが関連付けされる。【選択図】  図１
2006303685.tif 000002
【特許請求の範囲】
【請求項１】
コンテンツに対して有効期限を付加するコンテンツ有効期限入力部と、
コンテンツに対してその再生時間を付加するコンテンツ再生時間入力部と、
コンテンツ再生時間とコンテンツ有効期限とに基づいて、コンテンツの再生スケジュールを作成する再生スケジュール作成部と
を有するコンテンツ再生装置。
【請求項２】
コンテンツを蓄積する第１のコンテンツ蓄積部と、
前記再生スケジュールに基づいてコンテンツの再生を制御する再生制御部と、
該再生制御部の制御によりコンテンツを出力するコンテンツ出力部と
を有する請求項１に記載のコンテンツ再生装置。
【請求項３】
コンテンツを蓄積する第１のコンテンツ蓄積部と、前記再生スケジュールに基づいてコンテンツの再生を制御する再生制御部と、該再生制御部の制御によりコンテンツを転送するコンテンツ転送部と、を有するコンテンツ蓄積装置と、
コンテンツに関する情報を格納する装置情報部であって前記再生スケジュール作成部に対して自己の装置情報を提供する装置情報部と、前記コンテンツ転送部からコンテンツの転送を受けて該コンテンツを蓄積する第２のコンテンツ蓄積部と、コンテンツの再生を行うコンテンツ再生部と、を有するコンテンツ再生装置と、
を備えたコンテンツ再生システム。
【請求項４】
前記再生スケジュール作成部は、有効期限が現在時点に近いコンテンツから優先的に再生候補とすることを特徴とする請求項１から３までのいずれか１項に記載のコンテンツ再生システム。
【請求項５】
前記有効期限に次いで、前記コンテンツの再生時間を考慮してスケジュールを作成することを特徴とする請求項４に記載のコンテンツ再生システム。
【請求項６】
コンテンツの有効期限を考慮して直近のコンテンツを再生候補とするステップと、
前記再生候補を直近の順に並べた後にそれぞれのコンテンツの再生時間を累計していくステップと、
コンテンツの視聴可能時間内において前記コンテンツの有効期限とコンテンツの再生時間の累計とに基づいて、許容されるコンテンツ視聴時間内におけるコンテンツ再生スケジュールを提示するステップと
を有するコンテンツ再生スケジュール提示方法。
【請求項７】
コンピュータに請求項６に記載のステップを実行させるためのプログラム。
【発明の詳細な説明】
【技術分野】
【０００１】
本発明は、コンテンツ再生スケジュール作成システムに関し、特に、コンテンツに関する効果を考慮したコンテンツ再生スケジュールの作成システムに関する。
【背景技術】
【０００２】
放送番組などのコンテンツを再生する時に、そのコンテンツの有効期限が切れていた場合に、その時点での放送に含まれるコンテンツもしくは予め記録しておいた新しいコンテンツと差し替えて出力する技術がある。
【０００３】
また、送信機器側では放送しているコンテンツに優先度を決めるパラメータを設けて送信し、受信機器側ではより優先度の高いコンテンツをその時点で放送されているコンテンツと差し替えるか又は予め記録しておいたコンテンツ中を検索し、優先度の高いコンテンツをその時点で放送されているコンテンツと差し替えて出力する技術が存在する（特許文献１参照）。
【０００４】
【特許文献１】特開２００４−３２８４１４号公報
【発明の開示】
【発明が解決しようとする課題】
【０００５】
上記背景技術では、コンテンツの有効期限が切れた場合には、新しいコンテンツに差し替えるものである。利用者は有効期限がわからず見逃してしまう可能性がある。また本技術は、コンテンツを差し替えて出力する技術であるので、差し替える前のコンテンツの視聴は保証されない。コンテンツの差し替え等により番組が見られなくなる可能性があるという問題がある。
【０００６】
本発明は、利用者の番組選択に関する手間を省くことを目的とする。また、番組提供者にとって効率良く視聴者に視聴してもらうようにできるシステムを提供することを目的とする。
【課題を解決するための手段】
【０００７】
コンテンツの有効期限が近くなった場合に、積極的にそのコンテンツを利用者に提示するのである。番組などのコンテンツに対して、そのコンテンツの視聴に関する価値が高い期間がある場合にその期間に関する情報を付加し、期間の期限が近い番組から優先的に選んで視聴させるようにする。さらに、所望の再生時間に納まるような番組のスケジュールを作成する。
【０００８】
本技術は利用者の利用時間を考慮し、有効期限が近いコンテンツを優先的に提示し、また、番組の長さを考慮して再生するスケジュールを作成するシステムである。従って、利用者は限られた時間の中で効率の良い番組を効率よくコンテンツを全て視聴できる。
【発明の効果】
【０００９】
本発明によれば、携帯再生機器での利用など時間が限られている中で、番組の効果が期待できる期間内に効率よく視聴することができる。また、利用時間内に番組が視聴し終えることができるように番組の再生スケジュールを作成することにより、利用者にとって番組を選択する手間が省けて便利である。また、番組提供者にとっても効率良く視聴者に視聴してもらえるので有効な番組提供が可能である。
【発明を実施するための最良の形態】
【００１０】
本明細書において、コンテンツの有効期限とは、そのコンテンツの鮮度として捉えることができる。コンテンツの有効期限を過ぎれば、そのコンテンツを視聴する価値が激減するような場合をさす。但し、コンテンツの有効期限の前であれば、コンテンツの有効期限に近いほど、コンテンツ再生スケジュールに選択される可能性が高くなる。なぜならば、次回コンテンツ再生スケジュール作成時に有効期限が過ぎてしまう可能性が高くなるためである。要するに、有効期限前では、有効期限に近いほど再生スケジュール候補としての被選択可能性が高く、有効期限を過ぎれば、そのコンテンツが無効になるといわけではないが、再生スケジュール候補としての被選択可能性は非常に低くなるとともに、時間による差もなくなるような期限を言う。
【００１１】
本発明の一実施の形態による番組再生スケジュール作成システムについて図面を参照しつつ説明を行う。図１は、本実施の形態による番組再生スケジュール作成システムの構成例を示す図である。図１に示すように、本実施の形態による番組再生スケジュール作成システムＡは、ホームサーバ１と、番組データ入力部１１と、再生スケジュール出力部１５と、を有している。ホームサーバ１は、再生スケジュール作成装置３と、再生時間入力部５と、番組期限入力部７とを有している。番組データ入力部１は、例えば電子番組表（ＥＰＧ）からのデータが入力される。再生時間入力部５は、コンテンツの再生時間をユーザが入力するものである。番組期限入力部７は、ＥＰＧデータに基づいて番組の有効期限を入力するものである。番組の有効期限とは、例えばシリーズ物のドラマであればドラマの１回目からドラマの２回目までの期間が１回目のドラマの有効期限となる。再生時間と番組有効期限とが再生スケジュール作成装置３に入力され、再生スケジュールが出力部１５から出力される。この際、番組にＩＤとスケジュールとが関連付けされる。
【００１２】
尚、番組の有効期限とは、例えば、ドラマであれば通信により取得したＥＰＧの情報から得られた連続ドラマやニュース番組の次回までの期間や、ユーザが入力した期間などである。
【００１３】
図２は、本実施の形態による据え置き型番組録画再生システムの構成例を示す図である。図２に示すように、本実施の形態による据え置き型番組録画再生システムＢは、番組を蓄積する番組蓄積部２３と、再生に関する制御を行う再生制御部２５と、番組再生スケジュールを作成する番組再生スケジュール作成システム２７と、番組を出力する番組出力部２９と、を有している。番組蓄積部２３は、アンテナからの放送又は通信による番組を取得し蓄積する。蓄積された番組データは番組再生スケジュール作成システム２７に送られ、番組再生スケジュールが作成される。作成された番組再生スケジュールが再生制御部２５に送られ、番組蓄積部２３からの番組とともに、決まられた番組が番組出力部２９に出力される。
【００１４】
図３は、本実施の形態による番組蓄積装置と携帯型番組再生装置とのシステム構成例を示す機能ブロック図である。図３に示すように、本実施の形態によるシステムＣは、番組蓄積装置Ｂと、携帯型番組再生装置Ｄと、を有している。番組蓄積装置Ｂは、図２に示す番組再生スケジュール作成システム２７を有している。さらに、番組蓄積装置Ｂは、番組蓄積部２３と、再生制御部２５と、番組転送部２９と、を有している。番組蓄積部２３は番組再生スケジュール作成システム２７に対して番組データを送る。番組再生スケジュール作成システム２７は、再生制御部２５に再生スケジュールを送る。再生制御部２５は、再生スケジュールに基づいて番組転送部２９に携帯型番組再生装置に転送する番組を指示し、番組転送部２９は、指示された番組を携帯型番組再生装置Ｄの番組蓄積部３３に送る。番組蓄積部３３からの番組データが番組再生部３１に送られ、この番組が再生される。ここで、番組再生スケジュール作成システム２７と装置情報部３５との間においては、装置に関する記憶容量などの情報のやり取りが行われる。
【００１５】
次に、本実施の形態による番組再生スケジュール作成システムにおける処理について図面を参照しつつ説明を行う。図４は、本実施の形態による番組再生スケジュール作成システムにおける処理の流れを示すフローチャート図である。図４に示すように、まず、ステップＳ１において処理を開始し（Ｓｔａｒｔ）、ステップＳ２において番組データ入力を行う。ステップＳ３において、番組有効期限を入力する。ステップＳ４において再生時間を入力する。ステップＳ５において、再生スケジュールを作成する。ステップＳ６において、再生スケジュールにより提示された番組が再生時間以内であるか否かを判断する。再生時間以内である場合には（Ｙｅｓ）、ステップＳ７において処理を終了する（ＥＮＤ）。再生時間以内でない場合（Ｎｏ）には、ステップＳ５に戻り、再び、再生スケジュールを作成し直す。以上のようにして、番組に関する有効期限と再生時間とに基づいて再生スケジュールを作成することができる。有効期限は、例えば、ＥＰＧにおいて同じ番組名が周期的に現れる場合のようにシリーズ物である場合に、次回までの間がそのシリーズ物の前回の有効期限ということができる。シリーズ物としては、連続ドラマやスポーツなどが挙げられる。或いは、音楽コンテンツでは、同じアーティストの新作が出るまでの間が、前作の有効期限ということができる。
【００１６】
図５は番組再生スケジュールの例を示す図である。図５（Ａ）に示す番組再生スケジュールでは、No1.スポーツAは、1chであり、放送日時は2005/1/11  PM 7:00であり、放送時間は3時間であり、期限は１ヶ月後の２００５年２月１１日、ＰＭ７：００である。No2 ドラマAは、8chであり、放送日時は2005/2/6のPM 9:00であり、放送時間は2時間、期限は１週間後の、2005/2/13 PM 9:00である。No3：バラエティAは10chであり、放送日時は2005/2/8のPM 7:00から放送時間は1時間である。有効期限は、３ヶ月後の2005/5/8のPM 7:00である。No4はニュースAであり4ch、放送日時は2005/2/10のPM 11:00である。放送時間は30分、有効期限は１日後の2005/2/11  PM 11:00である。No5.はドラマBであり6ch、放送日時は2005/2/11のPM 1:00であり、放送時間は30分である。有効期限は、2005/2/1２のPM 1:00であり１日後である。
【００１７】
このように、番組データと再生期限を入力する。図５（Ｂ）に示すように、期限により優先順位付けを行う。すなわち、図５（Ｂ）では、期限が早くくる順に上から並べられる。すなわち、優先順位の高い順に並べられている。このように期限による優先順位付けが行われ、これに対して、図５（Ｄ）に示すように、再生時間２時間３０分、スケジュール作成時刻２００５年２月１１日ＰＭ３：００という条件が入力されると、図５（Ｃ）に示すように、図５（Ｂ）では１番順位が上であったＮｏ１のスポーツは、放送時間が長いため候補から除外される。また、図５（Ｂ）の２番目と３番目との次に、４番目のドラマＡを入れると放送時間が２時間であるため、合計で３時間となり、条件の２時間３０分をオーバーしてしまう。そこで、５番目の順位であったＮｏ３のバラエティが３番目にくるように調整される。このようにして、再生スケジュール（図５（Ｃ））が図４の処理手順に従って自動的に作成されることになる。
【００１８】
このような番組再生スケジュール表に基づいて再生を行うことにより、ユーザは特に意識することなく、有効期限が迫っている番組であって、時間的に予定に合致した番組の視聴が可能になるという利点がある。
【００１９】
尚、上記実施の形態におけるシステムは、蓄積している番組に対して、その番組が効果的である期限、例えばニュースであればその日限りである場合、連続ドラマであれば次の回が放送されるまでの間である場合等、その期限までへの残り時間に応じて優先度を付し、また、利用者の希望する再生時間を入力し、その時間内に納まるような優先度を考慮した効率の良い番組再生スケジュールを作成することができるシステムであれば、機器の種類や種別を特に限定するものではない。また、携帯再生機器などに対して、作成したスケジュール通りにコンテンツ（番組）を転送する手段としても利用することが可能である。
【産業上の利用可能性】
【００２０】
本発明は、据え置き型のホームサーバにおいて番組を有効期限と時間制限とに従って自動的に再生するシステムに利用できる。
【図面の簡単な説明】
【００２１】
【図１】本発明の一実施の形態による番組再生スケジュール作成システムの構成例を示す図である。
【図２】本実施の形態による据え置き型番組録画再生システムの構成例を示す図である。
【図３】本実施の形態による番組蓄積装置と携帯型番組再生装置とのシステム構成例を示す機能ブロック図である。
【図４】本実施の形態による番組再生スケジュール作成システムにおける処理の流れを示すフローチャート図である。
【図５】番組再生スケジュールの例を示す図である。
【符号の説明】
【００２２】
Ａ…番組再生スケジュール作成システム、１…ホームサーバ、３…再生スケジュール作成装置、５…再生時間入力部、７…番組期限入力部，１１…番組データ入力部、１５…再生スケジュール出力部。
【図１】
2006303685.tif 000003
【図２】
2006303685.tif 000004
【図３】
2006303685.tif 000005
【図４】
2006303685.tif 000006
【図５】
2006303685.tif 000007